(57)【要約】【課題】省エネルギー状態で機能の選択を受ける際に、低消費電力の機能の選択を促すことのできる操作表示装置を提供する。【解決手段】省エネルギーモードで利用可能な機能に係る操作釦６４〜６６を含む操作画面を省エネルギーモードの状態で表示する場合に、省エネルギーモードで利用可能な機能に係る操作釦を、通常モードでのみ利用可能な機能に係る操作釦６１〜６３と異なる態様で表示するように制御する。たとえば、省エネルギーモードの操作画面には通常モードでのみ利用可能な操作釦を表示しない、あるいは通常モードでのみ利用可能な操作釦６１〜６３と省エネルギーモードで利用可能な操作釦６４〜６６とを色分け表示する。【選択図】図６
2010219602.tif 000002
【特許請求の範囲】
【請求項１】
通常モードと該通常モードに比べて消費電力が少ない省エネルギーモードとに電力供給モードが切り替わる装置に設けられ、機能アイコンの表示と該機能アイコンに対応する機能の選択操作の受け付けとを行う操作表示装置において、
前記省エネルギーモードで利用可能な機能に係る機能アイコンを含む所定の画面を前記省エネルギーモードの状態で表示する場合に、前記省エネルギーモードで利用可能な機能に係る機能アイコンを、前記通常モードでのみ利用可能な機能に係る機能アイコンと異なる態様で表示する制御部を有する
ことを特徴とする操作表示装置。
【請求項２】
前記装置は、電力供給モードとして前記省エネルギーモードに比べて消費電力が少ないオフモードをさらに備え、該装置で利用可能な機能を複数種類に分類した機能種別の選択操作を前記オフモードの状態で受けると前記省エネルギーモードへ移行するように構成され、
前記制御部は、前記オフモードで前記機能種別の選択操作を受けて移行した前記省エネルギーモードの状態で表示する前記所定の画面として、前記選択操作された機能種別に対応した画面を表示する
ことを特徴とする請求項１に記載の操作表示装置。
【請求項３】
前記制御部は、前記省エネルギーモードの状態で前記通常モードでのみ利用可能な機能に係る機能アイコンに対応する機能の選択操作を受けた場合に所定の警告表示を行う
ことを特徴とする請求項１または２に記載の操作表示装置。
【請求項４】
前記制御部は、前記所定の画面を前記省エネルギーモードの状態で表示する場合に、前記省エネルギーモードで利用可能な機能に係る機能アイコンは表示し、前記通常モードでのみ利用可能な機能に係る機能アイコンは非表示にする
ことを特徴とする請求項１または２に記載の操作表示装置。
【請求項５】
前記機能アイコンは、該機能アイコンに対応する機能を選択する操作ボタンとして機能する
ことを特徴とする請求項１乃至４のいずれか一項に記載の操作表示装置。
【請求項６】
前記省エネルギーモードでは、選択された機能に関する操作設定の完了を契機に、当該操作表示装置による画面の表示をオフにする
ことを特徴とする請求項１乃至５のいずれか一項に記載の操作表示装置。
【請求項７】
前記省エネルギーモードでは、選択された機能の実行完了を契機に、当該操作表示装置による画面の表示をオフにする
ことを特徴とする請求項１乃至５のいずれか一項に記載の操作表示装置。
【請求項８】
請求項１乃至７のいずれか一項に記載の操作表示装置が設けられた前記装置としての画像形成装置。
【発明の詳細な説明】
【技術分野】
【０００１】
本発明は、操作画面の表示と該操作画面に表示された機能アイコンに対する操作の受け付けとを行う操作表示装置およびこれを備えた画像形成装置に係り、特に電力供給モードが通常モードと省エネルギーモードとに切り替わる装置に設けられる操作表示装置およびこれを備えた画像形成装置に関する。
【背景技術】
【０００２】
近年の各種装置は、省エネルギーの観点から、無操作の状態が所定時間以上継続したような場合に、液晶表示器など各部への電力供給を停止させた省エネルギーモードへ移行するように構成されている。通常、省エネルギーモードでは、通常モードへ復帰するためのイベント（たとえば、ユーザによる所定の操作やファクシミリ（以後、ファックスとも呼ぶ）の着信など）を検出する部分を除いて電力供給が停止され、復帰のイベントを検出すると装置の全部分に対して電力供給が再開される。
【０００３】
ところで、コピー機能、スキャン機能、ファクシミリ送受信機能など多様な機能を備えた複合機などの装置では、使用する機能によって必要な電力供給部分が相違する。たとえば、メモリに保存されている原稿をファクシミリ送信する場合には、プリンタ部への通電は必要ない。そこで、省エネルギーモードから復帰する際に、復帰後に使用される機能に係る部分にのみ電力供給を再開するようにして、消費電力の削減を図った装置がある（たとえば、特許文献１参照。）。この装置では、機能毎に設けたコピーボタン、ドキュメントボックスボタン、ファックスボタン、プリンターボタン、スキャナーボタンを選択して押下しないと省エネルギーモードから復帰しないようにし、かつその選択された機能で必要な部分だけの電源復帰を行うようになっている。
【先行技術文献】
【特許文献】
【０００４】
【特許文献１】特開２００４−２２２２３４号公報
【発明の概要】
【発明が解決しようとする課題】
【０００５】
ユーザが選択した機能に係る部分にだけ電力供給を再開させることは有効であるが、ユーザは復帰時に機能を選択する際に、その機能が多くの電力を必要とする機能であるか少ない電力で作動する機能であるかが分からないので、復帰時に低消費電力の機能を積極的に選択して省エネルギーに貢献するといったことはできなかった。
【０００６】
本発明は、上記の問題を解決しようとするものであり、省エネルギー状態で機能の選択を受ける際に、低消費電力の機能の選択を促すことのできる操作表示装置およびこれを備えた画像形成装置を提供することを目的としている。
【課題を解決するための手段】
【０００７】
かかる目的を達成するための本発明の要旨とするところは、次の各項の発明に存する。
【０００８】
［１］通常モードと該通常モードに比べて消費電力が少ない省エネルギーモードとに電力供給モードが切り替わる装置に設けられ、機能アイコンの表示と該機能アイコンに対応する機能の選択操作の受け付けとを行う操作表示装置において、
前記省エネルギーモードで利用可能な機能に係る機能アイコンを含む所定の画面を前記省エネルギーモードの状態で表示する場合に、前記省エネルギーモードで利用可能な機能に係る機能アイコンを、前記通常モードでのみ利用可能な機能に係る機能アイコンと異なる態様で表示する制御部を有する
ことを特徴とする操作表示装置。
【０００９】
上記発明では、省エネルギーモードの状態で表示する画面において、通常モードへ移行することなく省エネルギーモードのままで利用可能な機能に係る機能アイコンを、通常モードへ移行しなければ利用できない機能に係る機能アイコンとは異なる態様で表示する。これにより、省エネルギーモードで利用可能な機能を、通常モードへの移行を要する機能と区別してユーザに認識させることができ、通常モードへ移行する前に、省エネルギーモードの状態で実行可能な機能の選択をユーザに促すことができる。
【００１０】
［２］前記装置は、電力供給モードとして前記省エネルギーモードに比べて消費電力が少ないオフモードをさらに備え、該装置で利用可能な機能を複数種類に分類した機能種別の選択操作を前記オフモードの状態で受けると前記省エネルギーモードへ移行するように構成され、
前記制御部は、前記オフモードで前記機能種別の選択操作を受けて移行した前記省エネルギーモードの状態で表示する前記所定の画面として、前記選択操作された機能種別に対応した画面を表示する
ことを特徴とする［１］に記載の操作表示装置。
【００１１】
上記発明では、装置が有する機能を複数種類に大分類した機能種別毎の画面が表示されるので、装置の有する機能が多様な場合に好適である。また、オフモードから省エネルギーモードへ移行するトリガが機能種別の選択操作になっており、また省エネルギーモードへ移行したときに表示する画面を機能種別に対応したものにしているので、ユーザが使用を希望した機能種別に属する機能に係る機能アイコンが表示された画面を効率的に表示することができる。
【００１２】
［３］前記制御部は、前記省エネルギーモードの状態で前記通常モードでのみ利用可能な機能に係る機能アイコンに対応する機能の選択操作を受けた場合に所定の警告表示を行う
ことを特徴とする［１］または［２］に記載の操作表示装置。
【００１３】
上記発明では、通常モードへ移行してまでその機能を実行することをユーザに躊躇させてその実行を抑制することができる。また、通常モードへの移行を要する機能が誤って選択操作された場合には、通常モードへ移行する前に、警告によりユーザに誤操作を認識させ、キャンセルなどの対応をとらせることができる。
【００１４】
［４］前記制御部は、前記所定の画面を前記省エネルギーモードの状態で表示する場合に、前記省エネルギーモードで利用可能な機能に係る機能アイコンは表示し、前記通常モードでのみ利用可能な機能に係る機能アイコンは非表示にする
ことを特徴とする［１］または［２］に記載の操作表示装置。
【００１５】
上記発明では、通常モードへの移行を要する機能に係る機能アイコンを非表示にするので、それらの機能をユーザが選択する行為を効果的に抑制することができる。
【００１６】
［５］前記機能アイコンは、該機能アイコンに対応する機能を選択する操作ボタンとして機能する
ことを特徴とする［１］乃至［４］のいずれか一項に記載の操作表示装置。
【００１７】
上記発明では、機能アイコンが操作ボタンの機能を兼ねる。たとえば、表示画面はタッチパネルを備え、機能アイコンはソフトキーにされる。
【００１８】
［６］前記省エネルギーモードでは、選択された機能に関する操作設定の完了を契機に、当該操作表示装置による画面の表示をオフにする
ことを特徴とする［１］乃至［５］のいずれか一項に記載の操作表示装置。
【００１９】
上記発明では、省エネルギーモードにおいて、選択された機能に係る操作設定が完了すると、その直後、もしくは完了後所定時間の経過後に、操作表示装置の表示画面がオフになる。操作設定の完了を契機に早期に表示をオフにすることで、より一層の省エネルギーが達成される。なおオフモードへの移行により操作表示装置の表示画面がオフになる場合は、操作設定の完了を契機にオフモードへ移行するように構成されてもよい。
【００２０】
［７］前記省エネルギーモードでは、選択された機能の実行完了を契機に、当該操作表示装置による画面の表示をオフにする
ことを特徴とする［１］乃至［５］のいずれか一項に記載の操作表示装置。
【００２１】
上記発明では、省エネルギーモードにおいて、選択された機能の実行が完了すると、その直後、もしくは完了後所定時間の経過後に、操作表示装置の表示画面がオフになる。機能の実行完了を契機に早期に表示をオフにすることで、より一層の省エネルギーが達成される。また、機能の実行状況に係る表示などを行うことができる。なおオフモードへの移行により操作表示装置の表示画面がオフになる場合は、選択された機能の実行完了を契機にオフモードへ移行するように構成されてもよい。
【００２２】
［８］［１］乃至［７］のいずれか一項に記載の操作表示装置が設けられた前記装置としての画像形成装置。
【発明の効果】
【００２３】
本発明に係る操作表示装置およびこれを備えた画像形成装置によれば、省エネルギー状態で機能の選択を受ける際に、低消費電力の機能の選択をユーザに対して促すことができる。
【図面の簡単な説明】
【００２４】
【図１】本発明の実施の形態に係る画像形成装置の構成を示すブロック図である。
【図２】画像形成装置で使用される電力供給モードと各電力供給モードでの電力供給箇所を示す説明図である。
【図３】画像形成装置の各機能モードに属する機能を、省エネルギーモードで利用可能な機能と通常モードで利用可能な機能に分類して示す説明図である。
【図４】操作表示部としての操作パネルの一例を示す正面図である。
【図５】機能モードキーをソフトキーとした場合の操作パネルを示す正面図である。
【図６】電力供給モードが省エネルギーモードの状態で表示されるファックスモードの操作画面を限定表示形式と色分け表示形式について例示した正面図である。
【図７】色分け表示形式の操作画面において省エネルギーモードで利用できない機能に係る操作釦を選択操作した場合に表示される警告画面等を示す説明図である。
【図８】電力供給モードの移行と操作画面の表示に関連する処理の流れ図である。
【図９】省エネルギーモードでの操作画面の表示処理を示す流れ図である。
【図１０】警告表示処理を示す流れ図である。
【図１１】省エネルギーモードにおいて選択された機能に関する設定操作の完了前と完了時の表示画面を例示した正面図である。
【図１２】省エネルギーモードにおいて選択された機能の実行中と実行完了時の表示画面を例示した正面図である。
【発明を実施するための形態】
【００２５】
以下、図面に基づき本発明の実施の形態を説明する。
【００２６】
図１は、本発明の実施の形態に係る画像形成装置１０の構成を示すブロック図である。画像形成装置１０は、原稿画像を光学的に読み取ってその複製画像を記録紙に印刷するコピー機能、読み取った原稿の画像データをファイルにして保存したり外部端末へ送信したりするスキャン機能、パーソナルコンピュータなどの外部端末から受信した印刷ジョブに係る画像を記録紙上に形成して出力するＰＣプリント機能、画像データを送受信するファクシミリ機能などを備えた複合機と称される装置である。
【００２７】
画像形成装置１０は、当該画像形成装置１０の動作を統括制御する制御部としてのＣＰＵ（Central Processing Unit）１１にバス１２を介して、ＲＯＭ（Read Only Memory）１３と、ＲＡＭ（Random Access Memory）１４と、不揮発メモリ１５と、認証部１６と、操作表示部１７と、ファクシミリ通信部１８と、ネットワーク通信部１９と、ハードディスク装置２０と、画像処理部２１と、スキャナ部２２と、プリンタ部２３とを接続して構成される。また、画像形成装置１０の各部への電源供給をＣＰＵ１１からの電源制御信号２４に基づいて制御する電力供給部２５を備えている。
【００２８】
ＲＯＭ１３には各種のプログラムが格納されており、これらのプログラムに従ってＣＰＵ１１が処理を実行することにより画像形成装置１０としての各機能が実現される。ＲＡＭ１４はＣＰＵ１１がプログラムを実行する際に各種のデータを一時的に格納するワークメモリや画像データを格納する画像メモリ、送受信に係るデータを一時的に保存する通信バッファなどとして使用されるランダム・アクセス・メモリである。
【００２９】
不揮発メモリ１５は、電源をオフしてもその記憶内容が保持される書き換え可能なメモリである。不揮発メモリ１５には、画像形成装置１０に対して設定された各種の設定内容（設定値）、ユーザ情報、ユーザの認証情報などが記憶される。
【００３０】
認証部１６は、画像形成装置１０を使用するユーザの認証を行う。ここでは、画像形成装置１０の近くに居るユーザが所持する個人認証用無線カードと交信して該カードからユーザ情報を読み出すことによってユーザを特定して認証する。認証方法はこれに限定されるものではない。
【００３１】
操作表示部１７は、各種の操作画面や設定画面、案内画面、警告画面などを表示する機能およびユーザから各種の操作を受け付ける機能を果たす。操作表示部１７は、液晶ディスプレイ（ＬＣＤ…Liquid Crystal Display）などで構成された表示部２６と、その画面上に設けられて押下された座標位置を検出するタッチパネル２７と、機能モードキー２８と、テンキー、スタートボタンなどを備えて構成される。画像形成装置１０の機能は複数の機能モード（コピーモード、スキャンモード、ファックスモードなど）に大分類されており、機能モードキー２８はこの大分類された機能モード毎に設けられており、機能モードの選択操作の受け付けに使用される。
【００３２】
ファクシミリ通信部１８は、ファクシミリ送信やファクシミリ受信のための通信制御、発呼（ダイアル）、着呼、電話回線との接続などを行う。ファクシミリ通信部１８は着信を検出すると、これをＣＰＵ１１に通知する機能を備えている。
【００３３】
ネットワーク通信部１９は、ＬＡＮなどのネットワークを介してパーソナルコンピュータなどの端末装置やサーバなどと通信して各種のデータや情報を送受信する機能を果たす。
【００３４】
ハードディスク装置２０は、大容量不揮発の記憶装置であり、画像データなどが記憶される。ハードディスク装置２０には、ユーザ別やグループ別に管理される記憶領域であるボックスが作成される。ボックスには、画像データなどが保存される。
【００３５】
画像処理部２１は、外部の端末装置から受信した印刷データをイメージデータ（ビットマップデータ）に変換するラスタライズ処理、画像データの圧縮処理や伸張処理、画像の回転処理などを行う機能を備えている。
【００３６】
スキャナ部２２は、原稿を光学的に読み取って画像データを取得する機能を果たす。スキャナ部２２は、たとえば、原稿に光を照射する光源と、その反射光を受けて原稿を幅方向に１ライン分読み取るラインイメージセンサと、ライン単位の読取位置を原稿の長さ方向に順次移動させる移動手段と、原稿からの反射光をラインイメージセンサに導いて結像させるレンズやミラーなどからなる光学経路、ラインイメージセンサの出力するアナログ画像信号をデジタルの画像データに変換する変換部などを備えて構成される。
【００３７】
さらにスキャナ部２２には図示省略の自動原稿搬送装置が設けられている。自動原稿搬送装置は、原稿台にセットされた原稿をその最上のものから１枚ずつ順に繰り出して搬送し、スキャナ部２２のラインイメージセンサが原稿画像を読み取る所定の読み取り位置を通過させて排紙する機能を果たす。スキャナ部２２は、この自動原稿搬送装置を使用して複数枚の原稿を自動的に順次読み取るＡＤＦ読込みと、プラテンガラス上に載置された１頁の静止原稿を読み取るプラテン読込みが可能にされている。
【００３８】
プリンタ部２３は、画像データに応じた画像を記録紙に印刷する機能を果たす。ここでは、記録紙の搬送装置と、感光体ドラムと、帯電装置と、レーザユニットと、現像装置と、転写装置と、分離装置と、クリーニング装置と、定着部２９とを有し、電子写真プロセスによって画像形成を行う、所謂、レーザープリンタとして構成されている。
【００３９】
詳細には、回転する円筒形状の感光体ドラムの表面を、コロナ放電を発生させる帯電装置によって一様に帯電させ、この一様に帯電された感光体ドラムの表面にレーザユニットでレーザー光を照射して静電潜像が形成される。現像装置は、感光体ドラムの表面に形成された静電潜像をトナー像として顕像化し、このトナー像は搬送装置によって給紙トレイから繰り出されて搬送されてきた記録紙の表面に転写装置によって静電的に転写される。トナー像の転写された記録紙は分離装置による除電によって感光体ドラムから分離され、さらに搬送され定着部２９を通って排出される。定着部２９は記録紙上のトナー像を加圧加熱により記録紙に固着させる機能を果たす。クリーニング装置は、転写後に感光体ドラム上に残ったトナーをブレード等で擦って除去し回収する。定着部２９の消費電力は大きい。
【００４０】
電力供給部２５は、商用交流電源から生成した直流電圧を生成し、画像形成装置１０の各部に対して選択的に直流の電力供給を行う機能を果たす。ここでは、電力供給部２５は、電源出力Ａと、電源出力Ｂと、電源出力Ｃを備えており、ＣＰＵ１１から入力される電源制御信号２４に従って電源出力Ａ、Ｂ、Ｃからの電力の供給および供給停止を個別に制御する機能を備えている。電源出力ＡはＣＰＵ１１などを含むシステム制御部と機能モードキー２８の機能を有効にするための電力を供給する。電源出力Ｂは表示部２６およびタッチパネル２７に電力を供給する。電源出力Ｃはスキャナ部２２およびプリンタ部２３に電力を供給する。
【００４１】
図２は、画像形成装置１０で使用される電力供給モードと各電力供給モードでの電力供給箇所を示した電力供給モード一覧表４０である。電力供給モードには、通常モードと、通常モードより消費電力が少ない省エネルギーモードと、省エネルギーモードよりさらに消費電力が少ないオフモードとがある。
【００４２】
オフモードは電源出力Ａからのみ電力を供給し、電源出力Ｂおよび電源出力Ｃは電力供給を停止させた電力供給モードである。省エネルギーモードは電源出力ＡとＢからのみ電力を供給し、電源出力Ｃによる電力供給を停止させた電力供給モードである。通常モードは電源出力Ａ、Ｂ、Ｃのすべてから電力を供給する電力供給モードである。
【００４３】
通常モードでは、画像形成装置１０の全部に電力供給されるので、画像形成装置１０が有するすべての機能を利用することができる。
【００４４】
省エネルギーモードでは、電源出力Ｃからの電力供給が停止するので、電源出力Ｃから電力の供給を受けるスキャナ部２２やプリンタ部２３を使用する機能は利用できないが、他の機能、たとえば、ボックスに記憶されている画像データを外部へ送信するボックス送信などの機能は利用することができる。
【００４５】
なお、省エネルギーモードでどの部分に電力供給を行い、どの部分への電力供給を停止させるかは適宜に設定すればよい。たとえば、省エネルギーモードでスキャナ部２２に対して電力供給するように構成されてもよい。省エネルギーモードでは、消費電力の大きい部分、特に定着部２９への電力供給を停止させることが望ましい。
【００４６】
オフモードでは、電源出力Ａから電力供給を受けるシステム制御部と機能モードキー２８のみ作動する。したがって、表示部２６による操作画面などの表示は行われない。オフモードでは、ファクシミリの着信検知、ネットワーク通信部１９を介した外部端末からのデータ受信、機能モードキー２８の操作など、他の電力供給モードへの復帰のきっかけとなるイベントの検知が行われる。
【００４７】
なお、オフモードでは、上記のイベントを検知する部分にのみ電力を供給するようにしてもよい。たとえば、機能モードキー２８に対する操作の検知信号、着信検知信号などをＣＰＵ１１の割り込み信号として入力し、ＣＰＵ１１は割り込みのみ受け付ける省電力状態で動作するようにし、これら以外の部分に対する電力供給をすべて停止するようにされてもよい。
【００４８】
図３は、画像形成装置１０の各機能モードに属する機能を、省エネルギーモードで利用可能な機能と、通常モードで利用可能な機能に分類して示している。図中、＊の付された機能は、省エネルギーモードでは利用できず通常モードでのみ利用可能な機能である。機能モードには、コピーモード、スキャンモード、ファックスモード、ボックスモード、ＰＣプリントモード、ユーティリティモードなどがある。
【００４９】
たとえば、コピーモードでは、電力供給モードが通常モードの状態では履歴表示機能とコピー機能を利用でき、省エネルギーモードの状態ではコピー機能が利用不可となり履歴表示機能のみ利用可能となる。なお、履歴表示機能はジョブの実行履歴を表示部２６に表示させる機能である。ファックスモードにおいては、電力供給モードが通常モードの場合はスキャナ部２２を使用するファックス送信機能と、メモリを使用するファックス送受信(蓄積)機能と、履歴表示機能とを利用でき、省エネルギーモードではメモリを使用するファックス送受信(蓄積)機能と履歴表示機能のみ利用可能になる。そのほかのモードの説明は図の参照により省略する。
【００５０】
図４は、操作表示部１７としての操作パネル５０の一例を示す正面図である。操作パネル５０には、表示部２６である液晶ディスプレイの表示画面が設けられ、その上方にハードキーで構成された機能モードキー２８が配列されている。機能モードキー２８は、機械的接点を有するスイッチである。機能モードキー２８は、機能モード別に設けられており、コピーモードの選択操作に使用されるコピーモードキー２８ａと、ファックスモードの選択操作に使用されるファックスモードキー２８ｂと、スキャンモードの選択操作に使用されるスキャンモードキー２８ｃと、ボックスモードの選択操作に使用されるボックスモードキー２８ｄと、プリントモードの選択操作に使用されるプリントモードキー２８ｅと、ユーティリティモードの選択操作に使用されるユーティリティモードキー２８ｆとから構成される。
【００５１】
機能モードキー２８はハードキーに限らずソフトキーで構成されてもよい。ソフトキーとは、画面上に表示され、その押下操作がタッチパネルによって検出される操作釦である。図５は、機能モードキー２８をソフトキーとした場合の操作パネル５０Ｂの一例を示している。操作パネル５０Ｂには、表示部２６の表示画面と、機能モードキー２８をソフトキーとして表示するための第２表示部５１が配置されている。第２表示部５１は液晶ディスプレイの表面にタッチパネルを形成して構成される。第２表示部５１には、機能モード毎に機能モードキー２８ａ〜２８ｆがソフトキーとして表示される。第２表示部５１およびそのタッチパネルはオフモードでも電力供給を受けて機能するようにされている。具体的には第２表示部５１およびそのタッチパネルは電源出力Ａから電力供給を受け、表示部２６およびそのタッチパネル２７は電源出力Ｂから電源供給を受けるようにされる。
【００５２】
オフモードでいずれかの機能モードキー２８が操作されると、画像形成装置１０は省エネルギーモードへ移行（復帰）する。また、その操作された機能モードキー２８の機能モードに対応する操作画面を操作表示部１７の表示部２６に表示するようになっている。
【００５３】
画像形成装置１０は、省エネルギーモードで操作画面（省エネルギーモードでのみ利用可能な機能に係る機能アイコンとしての操作釦を含む所定の操作画面）を表示する場合に、省エネルギーモードで利用可能な機能に係る操作釦（機能アイコン）を、通常モードでのみ利用可能な機能に係る操作釦（機能アイコン）と異なる態様で表示するようになっている。すなわち、省エネルギーモードの状態で操作表示部１７に表示する操作画面では、通常モードへ移行することなく省エネルギーモードのままで利用可能な機能に係る操作釦を、通常モードへ移行しなければ利用できない機能に係る操作釦と異なる態様で表示する。
【００５４】
図４に示す操作パネル５０の表示部２６には、電力供給モードが通常モードの状態で表示したファックスモードに対応する操作画面（通常モード操作画面６０）が表示されている。通常モードで利用可能なファックスモードの機能には、ＡＤＦ読込みで読み取った原稿をファクシミリ送信するＡＤＦ読込送信機能と、プラテン読込みで読み取った原稿をファクシミリ送信するプラテン読込送信機能と、ファクシミリ受信した画像をプリンタ部２３でプリントする受信プリント機能と、ボックスに記憶されている画像を送信するボックス蓄積送信機能と、外部から受信した画像データなどをボックスに保存するボックス蓄積受信機能と、履歴表示機能がある。ファックスモードの通常モード操作画面６０には、これらの機能毎に、機能アイコンとして、その機能を選択するための操作釦６１〜６６と、電力供給モードを省エネルギーモードへ切り替えるための省エネキー６７が表示されている。このように、電力供給モードが通常モードの状態では、機能モードキー２８で選択された機能モードに属するすべての機能の操作釦（選択釦）が操作画面に表示される。
【００５５】
電力供給モードが省エネルギーモードの状態で表示される操作画面については、その表示形態として２種類を用意している。１つは、省エネルギーモードで利用できない機能（通常モードでのみ利用可能な機能）に係る操作釦を非表示とする限定表示形式であり、他の１つは、省エネルギーモードで利用できない機能に係る操作釦と省エネルギーモードで利用可能な機能に係る操作釦とを色分けして表示する色分け表示形式である。限定表示形式とするか色分け表示形式とするかは、予め管理者などにより設定され、その設定値を不揮発メモリ１５に記憶するようになっている。該設定値に係る設定操作は操作表示部１７から所定の管理者画面を通じて行われる、もしくは外部端末からネットワークを介して行われる。
【００５６】
図６は、電力供給モードが省エネルギーモードの状態で表示されるファックスモードの操作画面を示しており、同図（ａ）は限定表示形式の操作画面６０Ｂであり、同図（ｂ）は色分け表示形式の操作画面６０Ｃを示している。
【００５７】
省エネルギーモードで利用可能なファックスモードの機能には、ボックス蓄積送信機能と、ボックス蓄積受信機能と、履歴表示機能とがあり、ＡＤＦ読込送信機能と、プラテン読込送信機能と、受信プリント機能は利用できない。このため、図６（ａ）に示す限定表示形式の操作画面６０Ｂには、ボックス蓄積送信機能とボックス蓄積受信機能と履歴表示機能に対応する操作釦６４〜６６は表示され、図４のファックスモード通常操作画面６０では表示されていたＡＤＦ読込送信機能とプラテン読込送信機能と受信プリント機能に対応する操作釦６１〜６３は非表示にされている。
【００５８】
また、図６（ｂ）に示す色分け表示形式の操作画面６０Ｃでは、省エネルギーモードで利用可能な機能であるボックス蓄積送信機能とボックス蓄積受信機能と履歴表示機能に対応する操作釦６４〜６６と、省エネルギーモードで利用できない機能であるＡＤＦ読込送信機能とプラテン読込送信機能と受信プリント機能に対応する操作釦６１〜６３とが異なる色で表示されている。なお、限定表示形式の操作画面６０Ｂおよび色分け表示形式の操作画面６０Ｃにはそれぞれ電力供給モードを通常モードに切り替えるための省エネ解除キー６８が表示されている。
【００５９】
限定表示形式の操作画面６０Ｂもしくは色分け表示形式の操作画面６０Ｃにおいて省エネ解除キー６８を押下すると電力供給モードが通常モードへ切り替わると共に操作表示部１７の表示部２６の表示が図４の通常モード操作画面６０に遷移する。また通常モード操作画面６０で省エネキー６７を押下すると電力供給モードが省エネルギーモードに切り替わると共に操作表示部１７の表示部２６の表示が限定表示形式の操作画面６０Ｂもしくは色分け表示形式の操作画面６０Ｃに遷移する。
【００６０】
図７は、色分け表示形式の操作画面６０Ｃにおいて省エネルギーモードで利用できない機能に係る操作釦を選択操作した場合に表示される警告画面７０等を示している。たとえば、同図（ａ）に示す色分け表示形式の操作画面６０Ｃでプラテン読込送信機能の操作釦６２を操作すると操作表示部１７の表示部２６に図７（ｂ）に示すような警告画面７０が表示される。警告画面７０には、操作された操作釦６２に係る機能が通常モードへの移行を要する機能であることを示す警告メッセージ７１と、キャンセル釦７２と、実行釦７３が表示される。
【００６１】
キャンセル釦７２が操作されると、画像形成装置１０のＣＰＵ１１は、色分け表示形式の操作画面６０Ｃにて選択されていた機能をキャンセルし、色分け表示形式の操作画面６０Ｃに戻る。
【００６２】
実行釦７３が操作されると、図７（ｃ）に示すような承認画面８０が操作表示部１７の表示部２６に表示される。承認画面８０には、該機能を通常モードに移行して実行するためには管理者の承認が必要であることおよび管理者の承認を得ている場合は承認コードを入力すべきことをユーザに通知するための案内メッセージ８１と、承認コードの入力欄８２と、キャンセル釦８３と、ＯＫ釦８４が表示される。
【００６３】
承認コードは、管理者の承諾を証明する情報であり、予めユーザが管理者に申請して取得する。画像形成装置１０には管理者が発行した承認コードが、たとえば不揮発メモリ１５に登録される。入力欄８２に承認コードが入力された状態でＯＫ釦８４が押下されると、画像形成装置１０のＣＰＵ１１は、登録されている承認コードと入力欄８２に入力された承認コードとを照合する。一致すれば、通常モードに移行してユーザが色分け表示形式の操作画面６０Ｃで選択していた機能を実行する。キャンセル釦８３が操作されると、画像形成装置１０のＣＰＵ１１は、色分け表示形式の操作画面６０Ｃにて選択された機能をキャンセルし、色分け表示形式の操作画面６０Ｃに戻る。
【００６４】
なお、警告画面７０で実行釦７３が押下された場合の動作は上記に限定されるものではない。たとえば、通常モードへ移行して機能が実行されたことおよびそのユーザ名を管理者に電子メールなどで通知する、通常モードへ移行して機能が実行されたこととそのユーザ名とを対応付けた実行履歴を記録する、などの措置を行った上で、その機能を実行するように構成されてもよい。
【００６５】
図８は、電力供給モードの移行と操作画面の表示に関して画像形成装置１０が行う処理の流れを示している。この処理は繰り返し実行される。画像形成装置１０のＣＰＵ１１は、現在の電力供給モードが通常モードか否かを判断し（ステップＳ１０１）、通常モードでなければ（ステップＳ１０１；Ｎｏ）、当該画像形成装置１０を操作するユーザを検知している状態かを判断する(ステップＳ１０２)。たとえば、認証部１６にてユーザが所持する個人認証用無線カードを検出している場合は操作ユーザの検知ありとなる。操作ユーザの検知がなければ（ステップＳ１０２；Ｎｏ）、電源供給モードをオフモードに切り替える（ステップＳ１０９）。オフモードへの切り替えにより表示部２６への電源供給が停止し、表示がオフになる（無表示）。
【００６６】
操作ユーザを検知した場合は（ステップＳ１０２；Ｙｅｓ）機能モードキー２８が押下されたか否かを判断し（ステップＳ１０４）、押下されていない場合は（ステップＳ１０４；Ｎｏ）ステップＳ１０９へ移行する。
【００６７】
いずれかの機能モードキー２８が押下された場合は（ステップＳ１０４；Ｙｅｓ）、電力供給モードを省エネルギーモードへ切り替える、もしくは現在の電力供給モードが省エネルギーモードであればそのまま省エネルギーモードを維持する。そして、押下された機能モードキー２８に対応する機能モードに対応する操作画面を省エネルギーモードで表示する(ステップＳ１０５)。
【００６８】
図９は、ステップＳ１０５の処理の詳細を示している。まず、不揮発メモリ１５から表示形態に関する設定値を読み出し（ステップＳ２０１）、その設定値が限定表示形式に対応する値か色分け表示形式に対応する値かを調べる（ステップＳ２０２）。限定表示形式に対応する値であれば(ステップＳ２０２；Ｙｅｓ)、機能モードキー２８にて選択された機能モードに対応する操作画面を、図６（ａ）に示すような、限定表示形式で表示する（ステップＳ２０３）。一方、色分け表示形式に対応する値であれば(ステップＳ２０２；Ｎｏ)、選択された機能モードに対応する操作画面を、図６（ｂ）に示すような、色分け表示形式で表示する（ステップＳ２０４）。
【００６９】
図８に戻って説明を続ける。ステップＳ１０５で表示した省エネルギーモードでの操作画面において省エネ解除キー６８が押下された場合は（ステップＳ１０６；Ｙｅｓ）、電力供給モードを通常モードへ移行させると共に、操作画面の表示を通常モードでの表示に切り替える（ステップＳ１１４）。
【００７０】
省エネ解除キー６８が操作されずに（ステップＳ１０６；Ｎｏ）、無操作であれば(ステップＳ１０７；Ｎｏ)、本処理を終了する。また、省エネルギーモードで利用可能な機能に係る操作釦の操作を受けた場合は(ステップＳ１０７；Ｎｏ)、その機能を実行する。一方、色分け表示形式の操作画面６０Ｃを表示している場合に、通常モードへの移行を要する機能の選択操作を受けた場合は(ステップＳ１０７；Ｙｅｓ)、警告表示処理を行う(ステップＳ１０８)。
【００７１】
図１０は、警告表示処理の流れを示している。まず、図７（ｂ）に示すような警告画面７０を操作表示部１７の表示部２６に表示する（ステップＳ３０１）。ここで、キャンセル釦７２の押下操作を受けた場合は（ステップＳ３０２；Ｙｅｓ）、色分け表示形式の操作画面６０Ｃで選択を受けた機能の選択状態を解除して(ステップＳ３０７)、図８のステップＳ１０５（省エネルギーモードでの操作画面の表示）へ移行する(ステップＳ３０８)。
【００７２】
警告画面７０において実行釦７３の押下操作を受けた場合は（ステップＳ３０３；Ｙｅｓ）、承認画面８０を表示する（ステップＳ３０４）。承認画面８０にてキャンセル釦８３の押下操作を受けた場合は（ステップＳ３０５；Ｙｅｓ）、色分け表示形式の操作画面６０Ｃで選択を受けた機能の選択状態を解除して(ステップＳ３０７)、図８のステップＳ１０５（省エネルギーモードでの操作画面の表示）へ移行する(ステップＳ３０８)。
【００７３】
承認画面８０において正当な承認コードが入力されてＯＫ釦８４の押下操作を受けた場合は(ステップＳ３０６；Ｙｅｓ)、電力供給モードを通常モードに切り替え（ステップＳ３０９）、色分け表示形式の操作画面６０Ｃで選択を受けた機能を実行する(ステップＳ３１０)。
【００７４】
図８に戻って説明を続ける。現在の電力供給モードが通常モードの場合に（ステップＳ１０１；Ｙｅｓ）、通常モード操作画面６０で省エネキー６７が押下された場合は（ステップＳ１０３；Ｙｅｓ）、ステップＳ１０５へ移行する。すなわち、通常モードで操作画面を表示していたときと同じ機能モードに対応する操作画面を省エネルギーモードの表示形態で表示する。
【００７５】
通常モードの操作画面を表示している状態でいずれかの機能モードキー２８が押下された場合は（ステップＳ１１０；Ｙｅｓ）、その押下された機能モードキー２８に対応する機能モードの操作画面を通常モードの表示形態で表示する（ステップＳ１１４）。この操作画面でいずれかの機能の操作釦が押下された場合はその機能を実行する。
【００７６】
通常モードの状態で最後に操作を受けてから所定時間が経過した場合は（ステップＳ１１１；Ｙｅｓ）、電力供給モードをオフモードに切り替える（ステップＳ１１２）。オフモードへの切り替えにより、システム制御部以外への電源供給が停止され、表示部２６への電源供給も停止して表示がオフになる。
【００７７】
最後に操作を受けてから所定時間が経過していない場合は（ステップＳ１１１；Ｎｏ）、現在の表示画面の表示状態を継続する（ステップＳ１１３）。
【００７８】
このように、画像形成装置１０では、オフモードと通常モードの間に省エネルギーモードを設けているので、省エネルギーモードで利用可能な機能については、定着部２９などを起動することなく電力消費を抑えた状態のままで、その機能に係るジョブを実行することができる。
【００７９】
また、省エネルギーモードで操作画面を表示する場合に、省エネルギーモードで利用可能な機能に係る操作釦を、通常モードでのみ利用可能な機能に係る操作釦と異なる態様で表示する。これにより、省エネルギーモードで利用可能な機能を、通常モードへの移行を要する機能と区別してユーザに認識させることができ、通常モードへ移行する前に、省エネルギーモードの状態で実行可能な機能の選択をユーザに促すことができる。
【００８０】
特に、限定表示形式で操作画面を表示する場合には、通常モードへの移行を要する機能に係る操作釦を非表示にするので、それらの機能をユーザが選択する行為を効果的に抑制することができる。
【００８１】
また、色分け表示形式の操作画面で、通常モードへの移行を要する機能に係る操作釦の選択を受けた場合には警告画面７０を表示するので、通常モードへ移行してまでその機能を実行することをユーザに躊躇させ、その実行を抑制することができる。また、通常モードへの移行を要する機能が誤って選択操作された場合には、通常モードへ移行する前に警告画面７０を通じてユーザに誤操作を認識させ、訂正させることができる。
【００８２】
さらに、通常モードへの移行を要する機能の実行に際して管理者の承認を必要としたり、管理者へ通知したりするので、管理者は通常モードへの移行を要する機能の実行を厳格に管理することができ、一般ユーザの省エネルギーへの意識をさらに高めることができる。
【００８３】
なお、画像形成装置１０は、省エネルギーモードにおいて選択された機能に関する設定操作の完了を契機に、あるいは、省エネルギーモードにおいて選択された機能の実行完了を契機に、表示部２６の表示をオフにするようになっている。このように、必要性の少ない表示をオフにすることでより一層の省エネルギーを図っている。
【００８４】
図１１（ａ）は、省エネルギーモードにおいて、省エネルギーモードで利用可能な機能（この例では、ＢＯＸ蓄積送信）の選択を受け、その機能に係る設定操作を受け付け、設定完了の確認操作としてスタートボタンの押下を待っている状態の表示画面９０を示している。この状態でスタートボタンの押下を受けると、設定完了となり、画像形成装置１０は、同図（ｂ）の表示画面９１に示すように、表示部２６に当該表示部２６が非表示になることを通知するメッセージを表示し、その後、表示部２６を非表示にする。非表示は表示部２６への電力供給を停止させることで行う。ここでは、電力供給モードを省エネルギーモードからオフモードに切り替える。
【００８５】
図１２（ａ）は、省エネルギーモードにおいて、省エネルギーモードで利用可能な機能（この例では、ＢＯＸ蓄積送信）を実行中の表示画面９２を示している。省エネルギーモードにおいて選択された機能の実行が完了すると、画像形成装置１０は、同図（ｂ）の表示画面９３に示すように、表示部２６に当該表示部２６が非表示になることを通知するメッセージを表示し、その後、表示部２６を非表示にする。非表示は表示部２６への電力供給を停止させることで行う。ここでは、電力供給モードを省エネルギーモードからオフモードに切り替える。
【００８６】
なお、設定操作の完了あるいは実行完了を契機に非表示にすればよく、設定操作の完了あるいは実行完了の直後に非表示にしてもよいし、完了後、所定時間が経過した時点で非表示にしてもよい。この所定時間は、図８のステップＳ１１１の所定時間より短い時間にされる。
【００８７】
以上、本発明の実施の形態を図面によって説明してきたが、具体的な構成は実施の形態に示したものに限られるものではなく、本発明の要旨を逸脱しない範囲における変更や追加があっても本発明に含まれる。
【００８８】
なお、実施の形態では、操作表示部１７にタッチパネル２７を備える構成とし、表示された操作釦６１〜６６の押下により各操作釦６１〜６６に対応する機能の選択操作を受けるようにしたが、タッチパネルを備えない構成にされてもよい。すなわち、操作釦６１〜６６に代えて表示部２６に機能の内容を文字または図柄で示した機能アイコンを表示し、各機能アイコンに対応する機能の選択操作は、数字キーや矢印キーなどの別途の操作キーで受け付けるように構成されてもよい。
【００８９】
実施の形態では、操作表示装置（操作表示部１７およびその制御部（ＣＰＵ１１など））を有する画像形成装置１０を例に説明したが、操作表示装置が設けられる装置は画像形成装置に限定されるものではない。通常モードと省エネルギーモードというように消費電力の異なる複数の電力供給モードがあり、省エネルギーモードで利用可能な機能と通常モードでのみ利用可能な機能とを備えた装置であればよい。
【００９０】
また、電力供給モードとしてオフモードはなくてもかまわない。さらに、実施の形態では機能モード別の操作画面を表示するようにしたが、機能モード別としない構成にされてもよい。たとえば、装置が有する機能の数が比較的少ない場合には、それらの機能を機能モードに分類する必要はない。すなわち、通常モードの操作画面には全機能の操作釦を表示し、省エネルギーモードでは全機能のうち省エネルギーモードで利用可能な機能に係る操作釦を通常モードでのみ利用可能な機能に係る操作釦と区別可能に表示すればよい。この場合、機能モードキー２８の代わりに１つの復帰釦を設け、該復帰釦が押下された場合にオフモードから省エネルギーモードへ移行する、あるいは操作ユーザの検知により省エネルギーモードへ移行するように構成することができる。
【００９１】
なお、省エネルギーモードで利用可能な機能に係る操作釦を含まない画面については、省エネルギーモードでの表示形態と通常モードでの表示形態とを同一にしてもよいし、異なるようにされてもよい。
【符号の説明】
【００９２】
１０…画像形成装置
１１…ＣＰＵ
１２…バス
１３…ＲＯＭ
１４…ＲＡＭ
１５…不揮発メモリ
１６…認証部
１７…操作表示部
１８…ファクシミリ通信部
１９…ネットワーク通信部
２０…ハードディスク装置
２１…画像処理部
２２…スキャナ部
２３…プリンタ部
２４…電源制御信号
２５…電力供給部
２６…表示部
２７…タッチパネル
２８…機能モードキー
２８ａ…コピーモードキー
２８ｂ…ファックスモードキー
２８ｃ…スキャンモードキー
２８ｄ…ボックスモードキー
２８ｅ…プリントモードキー
２８ｆ…ユーティリティモードキー
２９…定着部
４０…電力供給モード一覧表
５０…操作パネル（機能モードキーはハードキー）
５０Ｂ…操作パネル（機能モードキーはソフトキー）
５１…第２表示部
６０…通常モード操作画面
６０Ｂ…限定表示形式の操作画面
６０Ｃ…色分け表示形式の操作画面
６１〜６６…機能の操作釦
６７…省エネキー
６８…省エネ解除キー
７０…警告画面
７１…警告メッセージ
７２…キャンセル釦
７３…実行釦
８０…承認画面
８１…案内メッセージ
８２…入力欄
８３…キャンセル釦
８４…ＯＫ釦
９０…設定完了の確認操作待ちの表示画面
９１…設定完了時の表示画面
９２…ジョブ実行中の表示画面
９３…ジョブ実行完了時の表示画面
Ａ…全ての電力供給モードで出力される電源出力
Ｂ…通常モードと省エネルギーモードでのみ出力される電源出力
Ｃ…通常モードでのみ出力される電源出力
【図１】
2010219602.tif 000003
【図２】
2010219602.tif 000004
【図３】
2010219602.tif 000005
【図４】
2010219602.tif 000006
【図５】
2010219602.tif 000007
【図６】
2010219602.tif 000008
【図７】
2010219602.tif 000009
【図８】
2010219602.tif 000010
【図９】
2010219602.tif 000011
【図１０】
2010219602.tif 000012
【図１１】
2010219602.tif 000013
【図１２】
2010219602.tif 000014